(57)【要約】【課題】表示装置に表示された画像のスジ及びムラを抑制すること。【解決手段】表示データＰを各画素に書き込む表示期間ＴＩ＿ｋ＋１、ＴＩ＿ｋ＋２と、表示データＰの各画素への書き込みが停止される休止期間ＴＲ＿ｋ＋１とを交互に繰り返し、かつ休止期間ＴＲ＿ｋ＋１の前半Ｔｅｒｍ１はすべての信号線ＳＧＬ１、ＳＧＬ２、・・・ＳＧＬｍを所定の電位とする。休止期間ＴＲ＿ｋ＋１の後半Ｔｅｒｍ２は休止期間ＴＲ＿ｋ＋１の直前の表示期間ＴＩ＿ｋ＋１において選択されていた行方向の各画素に書き込まれた表示データＰ１、Ｐ２、・・・Ｐｍを、それぞれの画素に対応する信号線ＳＧＬ１、ＳＧＬ２、・・・ＳＧＬｍに与える。【選択図】図１２
2014164194.tif 000002
【特許請求の範囲】
【請求項１】
画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データを各画素に書き込む表示期間と、前記表示データの各画素への書き込みが停止される休止期間とを交互に繰り返し、かつ前記休止期間の前半はすべての前記信号線を所定の電位とし、前記休止期間の後半は前記休止期間の直前の表示期間において選択されていた行方向の各画素に書き込まれた表示データを、それぞれの画素に対応する信号線に与える表示制御部と、
を含む、表示装置。
【請求項２】
前記表示制御部は、
選択された行方向の各画素の中で最初に前記表示データが書き込まれる画素に対しては、前記休止期間の後半において、その画素に対応する信号線に表示データを与えない、
請求項１に記載の表示装置。
【請求項３】
画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データを各画素に書き込む表示期間と、前記表示データの各画素への書き込みが停止される休止期間とを交互に繰り返し、かつ前記休止期間の前半は、直前の表示期間において選択されていた行方向の各画素のうち、最初に前記表示データが書き込まれる画素を除く任意の画素に書き込まれていた表示データをそれぞれの信号線に与え、前記休止期間の後半は、直前の表示期間において選択されていた行方向の各画素に書き込まれた表示データのうち、最初に前記表示データが書き込まれる画素に書き込まれていた表示データ及び前記休止期間の前半にそれぞれの信号線に与えられた表示データ以外の表示データを、この表示データが書き込まれていた画素に対応する信号線に与える表示制御部と、
を含む、表示装置。
【請求項４】
画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データの送信元と前記信号線との間に設けられるスイッチと、
前記表示データを各画素に書き込む表示期間と、前記表示データの各画素への書き込みが停止される休止期間とを交互に繰り返し、かつ前記休止期間は、すべての前記スイッチをＯＦＦにし、さらに前記送信元から前記スイッチまでの配線を任意の電位とする表示制御部と、
を含む、表示装置。
【請求項５】
請求項１から４のいずれか１項に記載の表示装置を備えた、電子機器。
【発明の詳細な説明】
【技術分野】
【０００１】
本開示は、表示装置に関し、特に表示動作期間の間に表示を休止する休止期間を有する表示装置及び電子機器に関する。
【背景技術】
【０００２】
近年、携帯電話及び電子ペーパー等のモバイル機器を対象とした表示装置の需要が高くなっている。このような表示装置は、画素がマトリクス状に配置されている表示領域と、画素毎に設けられたスイッチング素子とを備え、アクティブ・マトリックス方式で駆動されるものがある（例えば、特許文献１）。
【先行技術文献】
【特許文献】
【０００３】
【特許文献１】特開平７−１３４２７８号公報
【発明の概要】
【発明が解決しようとする課題】
【０００４】
アクティブ・マトリックス方式で駆動される表示装置は、画像を表示する表示動作を実行する表示期間と、この表示動作を停止する休止期間とを交互に繰り返すものがある。このような表示装置は、休止期間の直後の表示期間における表示動作によって、画像にスジ又はムラが発生することがある。
【０００５】
本開示は、表示装置に表示された画像のスジ及びムラを抑制することを目的とする。
【課題を解決するための手段】
【０００６】
本開示は、画像を表示する表示装置において、複数の画素が行方向と列方向とに配列され、かつそれぞれの前記画素は駆動素子を有する表示領域と、前記行方向に延在し、かつ前記行方向に配列されたそれぞれの前記画素が有する前記駆動素子に接続されて、前記表示部の前記画素を行単位で選択するための走査信号を送信する走査線と、前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、を含む表示装置であり、次のような表示制御部を有する。
【０００７】
本開示の表示制御部は、前記表示データを各画素に書き込む表示期間と、前記表示データの各画素への書き込みが停止される休止期間とを交互に繰り返し、かつ前記休止期間の前半はすべての前記信号線を所定の電位とし、前記休止期間の後半は前記休止期間の直前の表示期間において選択されていた行方向の各画素に書き込まれた表示データを、それぞれの画素に対応する信号線に与える。
【０００８】
本開示の表示制御部は、前記表示データを各画素に書き込む表示期間と、前記表示データの各画素への書き込みが停止される休止期間とを交互に繰り返し、かつ前記休止期間の前半は、直前の表示期間において選択されていた行方向の各画素のうち、最初に前記表示データが書き込まれる画素を除く任意の画素に書き込まれていた表示データをそれぞれの信号線に与え、前記休止期間の後半は、直前の表示期間において選択されていた行方向の各画素に書き込まれた表示データのうち、最初に前記表示データが書き込まれる画素に書き込まれていた表示データ及び前記休止期間の前半にそれぞれの信号線に与えられた表示データ以外の表示データを、この表示データが書き込まれていた画素に対応する信号線に与える。
【０００９】
本開示の表示制御部は、前記表示データを各画素に書き込む表示期間と、前記表示データの各画素への書き込みが停止される休止期間とを交互に繰り返し、かつ前記休止期間は、すべての前記スイッチをＯＦＦにし、さらに前記送信元から前記スイッチまでの配線を任意の電位とする。
【００１０】
本開示の電子機器は、前述した表示装置を備えたものである。本開示の電子機器は、例えば、テレビジョン装置、デジタルカメラ、パーソナルコンピュータ、ビデオカメラあるいは携帯電話等の携帯端末装置等が該当する。
【発明の効果】
【００１１】
本開示によれば、表示装置に表示された画像のスジ及びムラを抑制することができる。
【図面の簡単な説明】
【００１２】
【図１】図１は、本実施形態に係る表示装置の一例を表すブロック図である。
【図２】図２は、本実施形態に係る表示装置の一例を示す平面図である。
【図３】図３は、本実施形態に係る液晶表示デバイスの一例を示す断面図である。
【図４】図４は、本実施形態に係る液晶表示デバイスの一例を示すブロック図である。
【図５】図５は、本実施形態に係る液晶表示デバイスの画素配列を示す図である。
【図６】図６は、本実施形態に係る表示装置において、ソースドライバと、信号線との関係を説明する模式図である。
【図７】図７は、本実施形態に係る表示装置の動作を説明するためのタイミングチャートである。
【図８】図８は、本実施形態に係る表示装置がグレーラスタ画像を表示した例を示す図である。
【図９】図９は、本実施形態に係る表示装置がグレーラスタ画像を表示しているときの動作を示すタイミングチャートである。
【図１０】図１０は、本実施形態に係る表示装置が黒／グレーの画像を表示した例を示す図である。
【図１１】図１１は、本実施形態に係る表示装置がグレーラスタ画像を表示しているときの動作を示すタイミングチャートである。
【図１２】図１２は、本実施形態に係る休止期間中の制御の一例を示すタイミングチャートである。
【図１３】図１３は、本実施形態に係る休止制御の手順を示すフローチャートである。
【図１４】図１４は、第１変形例に係る休止制御の一例を示すタイミングチャートである。
【図１５】図１５は、第１変形例に係る休止制御の手順を示すフローチャートである。
【図１６】図１６は、第２変形例に係る休止制御の一例を示すタイミングチャートである。
【図１７】図１７は、スイッチとＣＯＧと両者を接続する配線とを示す図である。
【図１８】図１８は、スイッチとＣＯＧとを接続する配線の断面図である。
【図１９】図１９は、第１変形例に係る休止制御の手順を示すフローチャートである。
【図２０】図２０は、タッチ検出機能付き表示装置の一例を示す図である。
【図２１】図２１は、静電容量型タッチ検出の基本原理を説明するため、指が接触又は近接していない状態を表す説明図である。
【図２２】図２２は、図２１に示す指が接触又は近接していない状態の等価回路の例を示す説明図である。
【図２３】図２３は、静電容量型タッチ検出方式の基本原理を説明するため、指が接触又は近接した状態を表す説明図である。
【図２４】図２４は、図２３に示す指が接触又は近接した状態の等価回路の例を示す説明図である。
【図２５】図２５は、駆動信号及びタッチ検出信号の波形の一例を表す図である。
【図２６】図２６は、本実施形態又はその変形例に係る表示装置が適用される電子機器の一例を示す図である。
【図２７】図２７は、本実施形態又はその変形例に係る表示装置が適用される電子機器の一例を示す図である。
【図２８】図２８は、本実施形態又はその変形例に係る表示装置が適用される電子機器の一例を示す図である。
【図２９】図２９は、本実施形態又はその変形例に係る表示装置が適用される電子機器の一例を示す図である。
【図３０】図３０は、本実施形態又はその変形例に係る表示装置が適用される電子機器の一例を示す図である。
【図３１】図３１は、本実施形態又はその変形例に係る表示装置が適用される電子機器の一例を示す図である。
【図３２】図３２は、本実施形態又はその変形例に係る表示装置が適用される電子機器の一例を示す図である。
【図３３】図３３は、本実施形態又はその変形例に係る表示装置が適用される電子機器の一例を示す図である。
【図３４】図３４は、本実施形態又はその変形例に係る表示装置が適用される電子機器の一例を示す図である。
【図３５】図３５は、本実施形態又はその変形例に係る表示装置が適用される電子機器の一例を示す図である。
【図３６】図３６は、本実施形態又はその変形例に係る表示装置が適用される電子機器の一例を示す図である。
【図３７】図３７は、本実施形態又はその変形例に係る表示装置が適用される電子機器の一例を示す図である。
【図３８】図３８は、本実施形態又はその変形例に係る表示装置が適用される電子機器の一例を示す図である。
【発明を実施するための形態】
【００１３】
本開示を実施するための形態（実施形態）につき、図面を参照しつつ、次に示す順序で詳細に説明する。
１．実施形態
１−１．表示装置
１−２．タッチ検出機能付き表示装置
２．適用例（電子機器）
３．本開示の構成
【００１４】
＜１．実施形態＞
本開示が適用される半透過型液晶表示装置は、モノクロ表示対応の表示装置であってもよいし、カラー表示対応の表示装置であってもよい。カラー表示対応の場合、カラー画像を形成する単位となる１個の画素（単位画素）は、複数の副画素（サブピクセル）を含むことになる。より具体的には、カラー表示対応の表示装置では、単位画素は、例えば、赤色（Ｒｅｄ：Ｒ）を表示する副画素、緑色（Ｇｒｅｅｎ：Ｇ）を表示する副画素、青色（Ｂｌｕｅ：Ｂ）を表示する副画素の、計３個の副画素を含む。
【００１５】
ただし、１つの画素としては、ＲＧＢの３原色の副画素を組み合わせたものに限られるものではない。例えば、ＲＧＢの３原色の副画素に、さらに１色又は複数色の副画素を加えて単位画素とすることも可能である。より具体的には、例えば、輝度向上のために白色（Ｗｈｉｔｅ；Ｗ）を表示する副画素を加えて単位画素としたり、色再現範囲を拡大するために補色を表示する少なくとも１個の副画素を加えて単位画素としたりすることも可能である。
【００１６】
＜１−１．表示装置＞
図１は、本実施形態に係る表示装置の一例を表すブロック図である。表示装置１は、表示素子として液晶表示素子を用いた液晶表示デバイス１０と、制御部１１と、ゲートドライバ１２と、ソースドライバ１３と、ソースセレクタ部１３Ｓと、駆動電極ドライバ１４とを備えている。液晶表示デバイス１０は、後述するように、ゲートドライバ１２から供給される走査信号Ｖｓｃａｎに従って、１水平ラインずつ順次走査して表示するデバイスである。表示装置１の表示制御部としての制御部１１は、外部から供給された映像信号Ｖｄｉｓｐに基づいて、ゲートドライバ１２、ソースドライバ１３及び駆動電極ドライバ１４に対してそれぞれ制御信号を供給し、これらが互いに同期して動作するように制御する回路である。本開示における制御装置は、制御部１１、ゲートドライバ１２、ソースドライバ１３、駆動電極ドライバ１４を含む。
【００１７】
ゲートドライバ１２は、制御部１１から送信される制御信号に基づいて、液晶表示デバイス１０の表示駆動の対象となる１水平ラインを順次選択する機能を有している。ソースドライバ１３は、制御部１１から送信される制御信号に基づいて、液晶表示デバイス１０の、後述する各画素Ｐｉｘ（副画素ＳＰｉｘ）に画素信号Ｖｐｉｘを供給する回路である。本実施形態において、表示装置１は、カラー表示対応であるため、画素Ｐｉｘが前述した単位画素となる。
【００１８】
ソースドライバ１３は、後述するように、１水平ライン分の映像信号Ｖｄｉｓｐから、液晶表示デバイス１０の複数の副画素ＳＰｉｘの画素信号Ｖｐｉｘが多重化された画像信号Ｖｓｉｇを生成し、ソースセレクタ部１３Ｓに送信する。また、ソースドライバ１３は、画像信号Ｖｓｉｇに多重化されているそれぞれの画素信号Ｖｐｉｘを、画像信号Ｖｓｉｇから分離するために必要なセレクタスイッチ制御信号Ｖｓｅｌを生成し、画像信号Ｖｓｉｇとともにソースセレクタ部１３Ｓに送信する。この多重化により、ソースドライバ１３とソースセレクタ部１３Ｓとの間の配線数を少なくすることができる。本実施形態において、映像信号Ｖｄｉｓｐ及び画像信号Ｖｓｉｇは、表示データに相当する。
【００１９】
駆動電極ドライバ１４は、制御部１１から送信された制御信号に基づいて、液晶表示デバイス１０の、後述する共通電極ＣＯＭＬに、表示用の電圧である表示用駆動電圧ＶＣＯＭを供給する回路である。
【００２０】
図２は、本実施形態に係る表示装置の一例を示す平面図である。表示装置１は、画素基板２（ＴＦＴ基板２１）と、これに対向する対向基板３（ガラス基板３１）とを含む液晶表示デバイス１０に、フレキシブルプリント基板Ｔが取り付けられている。画素基板２は、ＣＯＧ（Chip  On  Glass）１９を搭載している。画素基板２には、液晶表示デバイス１０の表示領域Ａｄと、額縁Ｇｄとが形成されている。ＣＯＧ１９は、ＴＦＴ基板２１に実装されたＩＣ（Integral  Circuit）ドライバのチップであり、制御部１１及びソースドライバ１３等、表示装置１の表示動作に必要な各回路を内蔵した制御装置である。本実施形態では、上述したソースドライバ１３及びソースセレクタ部１３Ｓは、ＴＦＴ基板２１上に形成されているが、このような構造には限定されない。ソースドライバ１３及びソースセレクタ部１３Ｓは、ＣＯＧ１９に内蔵されていてもよい。ゲートドライバ１２は、ゲートドライバ１２Ａ、１２Ｂとして、ＴＦＴ基板２１に形成されている。また、表示装置１は、ＣＯＧ１９にゲートドライバ１２等の回路を内蔵してもよい。図２に示すように、表示領域Ａｄには、共通電極ＣＯＭＬが設けられる。
【００２１】
ソースセレクタ部１３Ｓは、ＴＦＴ基板２１の表面の表示領域Ａｄの近傍に、ＴＦＴ（Thin Film Transistor、薄膜トランジスタ）素子を用いて形成されている。表示領域Ａｄには、複数の画素がマトリックス状（行列状）に配置されている。本実施形態において、行方向は図２に示すＸ方向であり、列方向はＹ方向である。Ｘ方向とＹ方向とに直交する方向がＺ方向である。Ｚ方向は、ＴＦＴ基板２１の表面と直交する。額縁Ｇｄ、Ｇｄは、ＴＦＴ基板２１の表面を垂直な方向から見た場合に、画素が配置されていない領域である。ゲートドライバ１２は、額縁Ｇｄ、Ｇｄに配置されている。ゲートドライバ１２は、ゲートドライバ１２Ａ、１２Ｂを備え、ＴＦＴ基板２１の表面にＴＦＴ素子を用いて形成されている。ゲートドライバ１２Ａ、１２Ｂは、表示領域Ａｄに、後述する副画素（画素）がマトリックス状（行列状）に配置された、表示領域Ａｄを挟んで配列されている方向（走査方向）に、交互に一方側から副画素（画素）を駆動することができるようになっている。この他にも、複数の副画素（画素）が接続されている１本の走査線を、ゲートドライバ１２Ａ、１２Ｂの両方で駆動できるようにしてもよい。以下の説明では、ゲートドライバ１２Ａを第１ゲートドライバ１２Ａとし、ゲートドライバ１２Ｂを第２ゲートドライバ１２Ｂとする。後述する走査線は、第１ゲートドライバ１２Ａと、第２ゲートドライバ１２Ｂとの間に配列している。表示用駆動電圧ＶＣＯＭは、駆動電極ドライバ１４が表示用配線ＬＤＣを介して共通電極ＣＯＭＬに与える。
【００２２】
（液晶表示デバイス）
図３は、本実施形態に係る液晶表示デバイスの一例を示す断面図である。図４は、本実施形態に係る液晶表示デバイスの一例を示すブロック図である。図５は、本実施形態に係る液晶表示デバイスの画素配列を示す図である。図３に示すように、液晶表示デバイス１０は、画素基板２と、この画素基板２の表面に垂直な方向に対向して配置された対向基板３と、画素基板２と対向基板３との間に設けられた液晶層６とを備えている。
【００２３】
液晶層６は、電界の状態に応じてそこを通過する光を変調するものである。本実施形態においては、例えば、ＦＦＳ（フリンジフィールドスイッチング）又はＩＰＳ（インプレーンスイッチング）等の横電界モードの液晶が用いられるが、これに限定されるものではなく、縦電界モードの液晶を用いてもよい。なお、図３に示す液晶層６と画素基板２との間及び液晶層６と対向基板３との間には、それぞれ配向膜が配設されてもよい。
【００２４】
対向基板３は、ガラス基板３１と、このガラス基板３１の一方の面に形成されたカラーフィルタ３３とを含む。ガラス基板３１の他方の面には偏光板３５が設けられている。画素基板２は、回路基板としてのＴＦＴ基板２１、このＴＦＴ基板２１の表面にマトリックス状に配設された複数の画素電極２２、ＴＦＴ基板２１と画素電極２２との間に形成された複数の共通電極ＣＯＭＬ及び画素電極２２と共通電極ＣＯＭＬとを絶縁する絶縁層２４と、を含む。
【００２５】
画素基板２は、図４に示すように、ＴＦＴ基板２１の表面に、表示領域Ａｄと、インターフェース（Ｉ／Ｆ）及びタイミングジェネレータの機能を備えるＣＯＧ１９と、第１ゲートドライバ１２Ａ、第２ゲートドライバ１２Ｂ並びにソースドライバ１３とを備えている。図２に示すフレキシブルプリント基板Ｔは、図２に示すＣＯＧ１９として配置された、図４に示すＣＯＧ１９への外部信号又はＣＯＧ１９を駆動する駆動電力を伝送する。画素基板２は、透明絶縁基板（例えばガラス基板）のＴＦＴ基板２１の表面にあり、かつ液晶セルを含む画素がマトリックス状（行列状）に多数配置される表示領域Ａｄと、ソースドライバ（水平駆動回路）１３と、垂直駆動回路としての第１ゲートドライバ１２Ａと、同じく垂直駆動回路としての第２ゲートドライバ１２Ｂと、を備えている。第１ゲートドライバ１２Ａと第２ゲートドライバ１２Ｂとは、表示領域Ａｄを挟むように配置されている。
【００２６】
表示領域Ａｄは、液晶層を含む副画素ＳＰｉｘが、ｉ行×ｊ列に配置されたマトリックス（行列状）構造を有している（ｉ、ｊは自然数）。本明細書において、行とは１方向に配列されるｉ個の副画素ＳＰｉｘを有する画素行をいう。また、列とは行が配列される方向と直交する方向に配列されるｊ個の副画素ＳＰｉｘを有する画素列をいう。そして、ｉとｊとの値は、垂直方向の表示解像度と水平方向の表示解像度に応じて定まる。
【００２７】
表示領域Ａｄは、副画素ＳＰｉｘのｉ行ｊ列の配列に対して行毎に走査線ＧＣＬｉ＋１、ＧＣＬｉ＋２、ＧＣＬｉ＋３・・・が配線され、列毎に信号線ＳＧＬｊ＋１、ＳＧＬｊ＋２、ＳＧＬｊ＋３、ＳＧＬｊ＋４、ＳＧＬｊ＋５・・・が配線されている。以後、実施形態においては、走査線ＧＣＬｉ＋１、ＧＣＬｉ＋２、ＧＣＬｉ＋３・・・を代表して走査線ＧＣＬ又は走査線ＧＣＬｉのように表記し、信号線ＳＧＬｊ＋１、ＳＧＬｊ＋２、ＳＧＬｊ＋３、ＳＧＬｊ＋４、ＳＧＬｊ＋５・・・を代表して信号線ＳＧＬ又は信号線ＳＧＬｊのように表記することがある。走査線ＧＣＬは、行方向に延在し、信号線ＳＧＬは列方向に延在する。
【００２８】
画素基板２には、外部から外部信号であるマスタークロック、水平同期信号及び垂直同期信号が入力され、ＣＯＧ１９に与えられる。ＣＯＧ１９は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号としてタイミングジェネレータを通し、垂直スタートパルスＶＳＴ、垂直クロックパルスＶＣＫ、スイッチ制御信号ＧＣＫ、水平スタートパルスＨＳＴ及び水平クロックパルスＨＣＫを生成する。ＣＯＧ１９は、垂直スタートパルスＶＳＴ、垂直クロックパルスＶＣＫ及びスイッチ制御信号ＧＣＫを第１ゲートドライバ１２Ａ、第２ゲートドライバ１２Ｂに与えるとともに、水平スタートパルスＨＳＴ及び水平クロックパルスＨＣＫをソースドライバ１３に与える。ＣＯＧ１９は、副画素ＳＰｉｘ毎の画素電極に対して各画素共通に与えて、共通電位とよばれる表示用駆動電圧ＶＣＯＭを生成して上述した共通電極ＣＯＭＬに与える。
【００２９】
第１ゲートドライバ１２Ａ及び第２ゲートドライバ１２Ｂは、転送回路及びバッファー回路を含む。転送回路は、シフトレジスタを含み、さらにラッチ回路等を含んでもよい。第１ゲートドライバ１２Ａ及び第２ゲートドライバ１２Ｂは、上述した垂直スタートパルスＶＳＴと垂直クロックパルスＶＣＫとから走査信号としての垂直走査パルスを生成し、走査線ＧＣＬに与えることによって副画素ＳＰｉｘを行単位で順次選択する。第１ゲートドライバ１２Ａ及び第２ゲートドライバ１２Ｂは、走査線ＧＣＬの延在方向に走査線ＧＣＬを挟むように配置されている。第１ゲートドライバ１２Ａ及び第２ゲートドライバ１２Ｂは、表示領域Ａｄの上寄りから表示領域Ａｄの下寄りに向かって、順に垂直走査パルスを出力する。上寄りとは、ＣＯＧ１９とは反対側であり、下寄りとはＣＯＧ１９側である。
【００３０】
第１ゲートドライバ１２Ａ及び第２ゲートドライバ１２Ｂは、走査線ＧＣＬが配列されている方向（走査方向、Ｙ方向）の走査線ＧＣＬに交互に垂直走査パルスを印加して表示領域Ａｄの各副画素ＳＰｉｘを行単位で選択する。そして、第１ゲートドライバ１２Ａと、第２ゲートドライバ１２Ｂとは、走査線ＧＣＬの長手方向の端部に配置され、１行おきの走査線ＧＣＬに交互に垂直走査パルスを印加して表示領域Ａｄの各画素を行単位で選択する。第１ゲートドライバ１２Ａ及び第２ゲートドライバ１２Ｂは、ゲートドライバが走査線ＧＣＬの長手方向の両端部に接続されている場合と比較して、走査線ＧＣＬの長手方向における一方の端部に接続されているだけなので、トランジスタの素子数を低減することができる。結果として、表示装置１は、上述した額縁Ｇｄの領域を小さくすることができる。
【００３１】
ソースドライバ１３には、例えば６ビットのＲ（赤）、Ｇ（緑）、Ｂ（青）の画像信号Ｖｓｉｇが与えられる。ソースドライバ１３は、第１ゲートドライバ１２Ａ及び第２ゲートドライバ１２Ｂによる垂直走査（Ｙ方向における走査）によって選択された行の各副画素ＳＰｉｘに対して、画素毎に若しくは複数画素毎に又は全画素一斉に、信号線ＳＧＬを介して表示データを書き込む。
【００３２】
ＴＦＴ基板２１には、図４及び図５に示す各副画素ＳＰｉｘの薄膜トランジスタ素子Ｔｒ（以下、適宜ＴＦＴ素子Ｔｒという）、図３に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図５に示す液晶表示デバイス１０は、マトリックス状に配列された複数の副画素ＳＰｉｘを有している。副画素ＳＰｉｘは、ＴＦＴ素子Ｔｒ及び液晶素子ＬＣを備えている。ＴＦＴ素子Ｔｒは、この例では、ｎチャネルのＭＯＳ（Metal Oxide Semiconductor）型のＴＦＴである。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が共通電極ＣＯＭＬに接続されている。
【００３３】
図４に示す第１ゲートドライバ１２Ａ及び第２ゲートドライバ１２Ｂは、垂直走査パルスを、図５に示す走査線ＧＣＬを介して、副画素ＳＰｉｘのＴＦＴ素子Ｔｒのゲートに印加することにより、表示領域Ａｄにマトリックス状に形成されている副画素ＳＰｉｘのうちの１行（１水平ライン）を表示駆動の対象として順次選択する。ソースドライバ１３は、画素信号Ｖｐｉｘを、信号線ＳＧＬを介して、第１ゲートドライバ１２Ａ、第２ゲートドライバ１２Ｂにより順次選択される１水平ラインを含む各副画素ＳＰｉｘにそれぞれ供給する。これらの副画素ＳＰｉｘでは、供給される画素信号Ｖｐｉｘに応じて、１水平ラインの表示が行われるようになっている。駆動電極ドライバ１４は、表示用の駆動信号（表示用駆動電圧ＶＣＯＭ）を共通電極ＣＯＭＬに印加する。
【００３４】
前述したように、表示装置１は、第１ゲートドライバ１２Ａ及び第２ゲートドライバ１２Ｂが走査線ＧＣＬｉ＋１、ＧＣＬｉ＋２、ＧＣＬｉ＋３を順次走査するように駆動することにより、１水平ラインが順次選択される。また、表示装置１は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、共通電極ＣＯＭＬに対して表示用駆動電圧ＶＣＯＭを印加するようになっている。
【００３５】
図３に示すカラーフィルタ３３は、例えば赤（Ｒ）、緑（Ｇ）、青（Ｂ）の３色に着色されたカラーフィルタの色領域を周期的に配列して、上述した図５に示す各副画素ＳＰｉｘにＲ、Ｇ、Ｂの３色の色領域３３Ｒ、３３Ｇ、３３Ｂ（図５参照）が１組として画素Ｐｉｘとして対応付けられている。カラーフィルタ３３は、ＴＦＴ基板２１と垂直な方向において、液晶層６と対向する。このように、副画素ＳＰｉｘは、単色を表示することができる。なお、カラーフィルタ３３は、異なる色に着色されていれば、他の色の組み合わせであってもよい。また、カラーフィルタ３３は、なくてもよい。このように、カラーフィルタ３３が存在しない領域、すなわち透明な副画素ＳＰｉｘがあってもよい。
【００３６】
図５に示す副画素ＳＰｉｘは、走査線ＧＣＬにより、液晶表示デバイス１０の同じ行に属する他の副画素ＳＰｉｘと互いに接続されている。走査線ＧＣＬは、ゲートドライバ１２と接続され、ゲートドライバ１２から走査信号Ｖｓｃａｎが供給される。また、副画素ＳＰｉｘは、信号線ＳＧＬにより、液晶表示デバイス１０の同じ列に属する他の副画素ＳＰｉｘと互いに接続されている。信号線ＳＧＬは、ソースドライバ１３と接続され、ソースドライバ１３から画素信号Ｖｐｉｘが供給される。
【００３７】
図６は、本実施形態に係る表示装置において、ソースドライバと、信号線との関係を説明する模式図である。図６に示すように、表示装置１は、信号線ＳＧＬが、ソースセレクタ部１３Ｓを介して前述したＣＯＧ１９に内蔵したソースドライバ１３に接続されている。ソースセレクタ部１３Ｓは、セレクタスイッチ制御信号Ｖｓｅｌに応じて開閉動作する。
【００３８】
図６に示すように、ソースドライバ１３は、制御部１１から供給される画像信号Ｖｓｉｇ及びソースドライバ制御信号に基づいて、画素信号Ｖｐｉｘを生成し出力する。ソースドライバ１３は、１水平ライン分の画像信号Ｖｓｉｇから、表示装置１が備える液晶表示デバイス１０の複数（この例では３つ）の副画素ＳＰｉｘに与える画素信号Ｖｐｉｘ（ＶｐｉｘＲ、ＶｐｉｘＧ、ＶｐｉｘＢ）を生成し、ソースセレクタ部１３Ｓに与える。また、ソースドライバ１３は、画素信号ＶｐｉｘＲ、ＶｐｉｘＧ、ＶｐｉｘＢが多重化された画像信号Ｖｓｉｇからそれぞれの画素信号ＶｐｉｘＲ、ＶｐｉｘＧ、ＶｐｉｘＢを分離するために必要なセレクタスイッチ制御信号Ｖｓｅｌ（ＶｓｅｌＲ、ＶｓｅｌＧ、ＶｓｅｌＢ）を生成し、画像信号Ｖｓｉｇとともにソースセレクタ部１３Ｓに与える。前述した通り、この多重化により、ソースドライバ１３とソースセレクタ部１３Ｓとの間の配線数が少なくなる。
【００３９】
ソースセレクタ部１３Ｓは、ソースドライバ１３から与えられた表示データとしての画像信号Ｖｓｉｇ及びセレクタスイッチ制御信号Ｖｓｅｌに基づいて、時分割され多重化された画像信号Ｖｓｉｇから画素信号Ｖｐｉｘを分離し、表示装置１の液晶表示デバイス１０に与える。ソースセレクタ部１３Ｓは、例えば、３個のスイッチＳＷＲ、ＳＷＧ、ＳＷＢを備えている。３個のスイッチＳＷＲ、ＳＷＧ、ＳＷＢのそれぞれの一端は、互いに接続されソースドライバ１３から画像信号Ｖｓｉｇが供給される。３個のスイッチＳＷＲ、ＳＷＧ、ＳＷＢのそれぞれの他端は、液晶表示デバイス１０の信号線ＳＧＬを介して、副画素ＳＰｉｘにそれぞれ接続されている。
【００４０】
制御部１１は、ソースドライバ１３に表示のための信号を与える。この信号に基づき、ソースドライバ１３はセレクタスイッチ制御信号Ｖｓｅｌ（ＶｓｅｌＲ、ＶｓｅｌＧ、ＶｓｅｌＢ）を生成する。３個のスイッチＳＷＲ、ＳＷＧ、ＳＷＢは、ソースドライバ１３から与えられたセレクタスイッチ制御信号Ｖｓｅｌ（ＶｓｅｌＲ、ＶｓｅｌＧ、ＶｓｅｌＢ）によってそれぞれ開閉される。このような構造により、ソースセレクタ部１３Ｓは、セレクタスイッチ制御信号Ｖｓｅｌに応じて、スイッチＳＷＲ、ＳＷＧ、ＳＷＢを時分割で順次切り替えてオン（ＯＮ）状態にすることができる。ソースセレクタ部１３Ｓは、このような動作により、表示データとしての多重化された画像信号Ｖｓｉｇから、表示データとしての画素信号Ｖｐｉｘ（ＶｐｉｘＲ、ＶｐｉｘＧ、ＶｐｉｘＢ）を分離する。ソースセレクタ部１３Ｓは、画素信号Ｖｐｉｘを、３個の副画素ＳＰｉｘにそれぞれ供給する。
【００４１】
上述した赤（Ｒ）、緑（Ｇ）、青（Ｂ）の３色に着色された色領域３２Ｒ、３２Ｇ、３２Ｂは、副画素ＳＰｉｘにそれぞれ対応付けられている。このため、色領域３２Ｒに対応する副画素ＳＰｉｘには、画素信号ＶｐｉｘＲが与えられる。色領域３２Ｇに対応する副画素ＳＰｉｘには、画素信号ＶｐｉｘＧが与えられる。色領域３２Ｂに対応する副画素ＳＰｉｘには、画素信号ＶｐｉｘＢが与えられる。
【００４２】
副画素ＳＰｉｘは、共通電極ＣＯＭＬにより、液晶表示デバイス１０の同じ行に属する他の副画素ＳＰｉｘと互いに接続されている。共通電極ＣＯＭＬは、駆動電極ドライバ１４と接続され、駆動電極ドライバ１４から表示用駆動電圧ＶＣＯＭが供給される。つまり、この例では、同一の一行に属する複数の副画素ＳＰｉｘが共通電極ＣＯＭＬを共有するようになっている。
【００４３】
（表示装置の動作）
図７は、本実施形態に係る表示装置の動作を説明するためのタイミングチャートである。表示装置１は、液晶表示デバイス１０の１フレーム期間中に、表示の駆動をする期間（表示期間）ＴＩと、表示の駆動を停止する期間（休止期間）ＴＩとを交互に繰り返す。具体的には、表示期間ＴＩのｉ＋１においては、図６に示すソースセレクタ部１３ＳのスイッチＳＷＲ、ＳＷＧ、ＳＷＢが順次ＯＮ−ＯＦＦして、図７に示す走査線ＧＣＬｉ＋１に接続されている各副画素ＳＰｉｘに画素信号Ｖｐｉｘ（ＶｐｉｘＲ、ＶｐｉｘＧ、ＶｐｉｘＢ）が与えられる。すなわち、走査線ＧＣＬｉ＋１に接続されている各副画素ＳＰｉｘに表示データが書き込まれる。表示期間ＴＩのｉ＋２においては、表示期間ＴＩのｉ＋１と同様にスイッチＳＷＲ、ＳＷＧ、ＳＷＢが動作して、図７に示す走査線ＧＣＬｉ＋２に接続されている各副画素ＳＰｉｘに画素信号Ｖｐｉｘ（ＶｐｉｘＲ、ＶｐｉｘＧ、ＶｐｉｘＢ）が与えられ、表示データが書き込まれる。
【００４４】
表示期間ＴＩのｉ＋２が終了すると、表示期間ＴＩのｉ＋３の前に、休止期間ＴＲが設けられる。この例において、休止期間ＴＲでは、図６に示すソースセレクタ部１３ＳのスイッチＳＷＲ、ＳＷＧ、ＳＷＢがいずれもＯＮの状態を維持している。休止期間ＴＲは、図４に示すゲートドライバ１２がいずれの走査線ＧＣＬも選択していない状態である。このように、休止期間ＴＲは、表示のための駆動が停止される期間、より具体的には、いずれの走査線ＧＣＬに対しても表示データを書き込む動作が停止される期間である。休止期間ＴＲでは、例えば、画像を表示するための駆動とは異なる駆動を行うことができる。このような駆動としては、例えば、共通電極ＣＯＭＬの電位が変化する駆動等があり、一例としては、タッチパネルのセンシング駆動等がある。休止期間ＴＲの後は、再び表示期間ＴＩのｉ＋３が開始される。表示装置１は、表示期間ＴＩと休止期間ＴＲとを交互に繰り返しながら、液晶表示デバイス１０の１フレームの表示を実行する。次に、１フレーム中に表示期間ＴＩと休止期間ＴＲとを繰り返す動作をした場合に、表示装置１の表示領域Ａｄに表示される画像について説明する。
【００４５】
（表示領域に表示される画像）
図８は、本実施形態に係る表示装置がグレーラスタ画像を表示した例を示す図である。図９は、本実施形態に係る表示装置がグレーラスタ画像を表示しているときの動作を示すタイミングチャートである。図８に示すように、表示装置１は、カラム反転によって画像を表示している。グレーラスタ画像は、すべての副画素がある階調で表示される画像である。図８、図９中のＥｖｅｎは偶数の走査線ＧＣＬに対応し、Ｏｄｄは奇数の走査線ＧＣＬに対応する。ｎ、ｑは任意の自然数であり、複数の走査線ＧＣＬ及び複数のＳＧＬを識別するために用いられる。表示期間ＴＩと休止期間ＴＲとに付される符号ｋ＋１、ｋ＋２は、これらを識別するために用いられる。ｋは自然数である。信号線ＳＧＬに付されるＲ、Ｇ、Ｂは、信号線ＳＧＬに接続されている副画素ＳＰｉｘの色を示す。ｎ−１、ｎは、複数の信号線ＳＧＬを識別するために用いられる。ｎは自然数である。
【００４６】
図８、図９に示す例は、表示期間ＴＩ＿ｋ＋１中に、図７に示すゲートドライバ１２によってＥｖｅｎ＿ｑ、Ｏｄｄ＿ｑ＋１、Ｅｖｅｎ＿ｑ＋１の順で走査線ＧＣＬが選択される。Ｅｖｅｎ＿ｑ、Ｏｄｄ＿ｑ＋１、Ｅｖｅｎ＿ｑ＋１に対応するそれぞれの走査線ＧＣＬが選択されると、図６に示すソースセレクタ部１３ＳのスイッチＳＷＲ、ＳＷＧ、ＳＷＢが順次ＯＮ−ＯＦＦして、選択されている走査線ＧＣＬに接続されている各副画素ＳＰｉｘに画素信号Ｖｐｉｘ（ＶｐｉｘＲ、ＶｐｉｘＧ、ＶｐｉｘＢ）を与えることにより、各副画素ＳＰｉｘに表示データを書き込む。
【００４７】
休止期間ＴＲ＿ｋ＋１において、スイッチＳＷＲ、ＳＷＧ、ＳＷＢはＯＮ（Ｈ）に維持される。すると、信号線ＳＧＬはグランドに接続されるので、休止期間ＴＲ＿ｋ＋１において、信号線ＳＧＬ＿Ｂｎ−１、信号線ＳＧＬ＿Ｒｎ、ＳＧＬ＿Ｇｎ、ＳＧＬ＿Ｂｎの電位はいずれも０になる。
【００４８】
休止期間ＴＲ＿ｋ＋１の次の表示期間ＴＩ＿ｋ＋２において、スイッチＳＷＲ、ＳＷＧ、ＳＷＢが順次ＯＮ−ＯＦＦして、選択されている走査線ＧＣＬに接続されている各副画素ＳＰｉｘに画素信号Ｖｐｉｘ（ＶｐｉｘＲ、ＶｐｉｘＧ、ＶｐｉｘＢ）を与えることにより、各副画素ＳＰｉｘに表示データが書き込まれる。この例において、表示期間ＴＩ＿ｋ＋２の最初にＯｄｄ＿ｑ＋２に対応する走査線ＧＣＬが選択される。スイッチＳＷＲがＯＮ−ＯＦＦすることにより、信号線ＳＧＬ＿Ｒｎに表示データとして画素信号ＶｐｉｘＲが書き込まれる（図９の符号ＷＲ１）。この例では、信号線ＳＧＬ＿Ｒｎの電位が０からＨになる。信号線ＳＧＬ＿Ｇｎには表示データとして画素信号ＶｐｉｘＧが書き込まれる（図９の符号ＷＲ２）。すると、この例では、信号線ＳＧＬ＿Ｒｎの電位が０からＬになる。信号線ＳＧＬ＿Ｂｎ−１、ＳＧＬ＿Ｂｎには表示データとして画素信号ＶｐｉｘＢが書き込まれる（図９の符号ＷＲ３ａ、ＷＲ３ｂ）。すると、この例では、信号線ＳＧＬ＿Ｂｎ−１の電位は０からＬになり、信号線ＳＧＬ＿Ｂｎの電位は０からＨになる。
【００４９】
表示期間ＴＩ＿ｋ＋１におけるそれぞれの信号線ＳＧＬ＿Ｂｎ−１、ＳＧＬ＿Ｒｎ、ＳＧＬ＿Ｇｎ、ＳＧＬ＿Ｂｎは、走査線ＧＣＬが切り替えられるときには、切り替えられる直前の表示データを維持している。しかし、休止期間ＴＲ＿ｋ＋１において、信号線ＳＧＬ＿Ｂｎ−１、ＳＧＬ＿Ｒｎ、ＳＧＬ＿Ｇｎ、ＳＧＬ＿Ｂｎの電位は０になっている。このため、休止期間ＴＲ＿ｋ＋１の直後の表示期間ＴＩ＿ｋ＋２において最初に選択されるＯｄｄ＿ｑ＋２に対応する走査線ＧＣＬでは、それぞれの信号線ＳＧＬ＿Ｂｎ−１、ＳＧＬ＿Ｒｎ、ＳＧＬ＿Ｇｎ、ＳＧＬ＿Ｂｎは、表示期間ＴＩ＿ｋ＋２中における状態、すなわち電位が０の状態から新たな表示データが送信される。その結果、表示期間ＴＩ＿ｋ＋１中の信号線ＳＧＬの電位変動と、休止期間ＴＲ＿ｋ＋１から表示期間ＴＩ＿Ｋ＋２へ移行した直後において最初に選択される走査線ＧＣＬの信号線ＳＧＬの電位変動とが異なる。
【００５０】
この例では、Ｏｄｄ＿ｑ＋２に対応する走査線ＧＣＬにおいてのみ、隣接する信号線ＳＧＬ同士、具体的には信号線ＳＧＬ＿Ｂｎ−１と信号線ＳＧＬ＿Ｒｎとの間、信号線ＳＧＬ＿Ｒｎと信号線ＳＧＬ＿Ｇｎとの間及び信号線ＳＧＬ＿Ｇｎと信号線ＳＧＬ＿Ｂｎとの間が特異的に静電容量によってカップリングしてしまう（図９のＣＰ１、ＣＰ２、ＣＰ３）。その結果、同じ階調を示すべきＯｄｄ＿ｑ＋２に対応する走査線ＧＣＬの副画素ＳＰｉｘと、その他の走査線ＧＣＬの副画素ＳＰｉｘとで、それぞれの副画素ＳＰｉｘの電位に差が生じてしまう。
【００５１】
図９に示す例では、副画素ＳＰｉｘＲ、ＳＰｉｘＧの電位を示す点線がＯｄｄ＿ｑ＋２に対応する走査線ＧＣＬのものを示し、副画素ＳＰｉｘＲ、ＳＰｉｘＧの電位を示す実線がＯｄｄ＿ｑ＋２に対応する走査線ＧＣＬ以外のものを示す。両者の間には、前述したことを原因として電位差ΔＶｒ、ΔＶｇが発生している。この電位差ΔＶｒ、ΔＶｇが、Ｏｄｄ＿ｑ＋２に対応する走査線ＧＣＬの副画素ＳＰｉｘとこれに隣接する走査線ＧＣＬの副画素ＳＰｉｘとの間でスジ又はムラ等を発生させる可能性がある。表示装置１がグレーラスタ画像以外の画像を表示している場合も同様である。
【００５２】
図１０は、本実施形態に係る表示装置が黒／グレーの画像を表示した例を示す図である。図１１は、本実施形態に係る表示装置がグレーラスタ画像を表示しているときの動作を示すタイミングチャートである。黒／グレーの画像は、黒表示される副画素が千鳥状になっている。黒／グレーの画像であっても、休止期間ＴＲ＿ｋ＋１において、信号線ＳＧＬ＿Ｂｎ−１、ＳＧＬ＿Ｒｎ、ＳＧＬ＿Ｇｎ、ＳＧＬ＿Ｂｎの電位は０になっている。このため、図１１に示すように、表示期間ＴＩ＿ｋ＋１中の信号線ＳＧＬの電位変動と、休止期間ＴＲ＿ｋ＋１から表示期間ＴＩ＿Ｋ＋２へ移行した直後において最初に選択される走査線ＧＣＬの信号線ＳＧＬの電位変動とが異なる。
【００５３】
この例においても、Ｏｄｄ＿ｑ＋２に対応する走査線ＧＣＬにおいてのみ、隣接する信号線ＳＧＬ同士が特異的に静電容量によってカップリングしてしまう。その結果、同じ階調を示すべきＯｄｄ＿ｑ＋２に対応する走査線ＧＣＬの副画素ＳＰｉｘと、その他の走査線ＧＣＬの副画素ＳＰｉｘとで、それぞれの副画素ＳＰｉｘの電位に差が生じてしまう。図１１に示す例では、副画素ＳＰｉｘＧの電位を示す点線がＯｄｄ＿ｑ＋２に対応する走査線ＧＣＬのものを示し、副画素ＳＰｉｘＧの電位を示す実線がＯｄｄ＿ｑ＋２に対応する走査線ＧＣＬ以外のものを示す。前述したことを原因として発生した電位差ΔＶｇが、Ｏｄｄ＿ｑ＋２に対応する走査線ＧＣＬの副画素ＳＰｉｘとこれに隣接する走査線ＧＣＬの副画素ＳＰｉｘとの間でスジ又はムラ等を発生させる可能性がある。
【００５４】
（本実施形態の制御）
表示装置１は、１フレーム期間中に表示期間ＴＩと休止期間ＴＲとを交互に繰り返す場合に、前述したスジ又はムラ等の発生を抑制させるため、休止期間ＴＲ前における表示期間ＴＩ中の信号線ＳＧＬの電位変動と、休止期間ＴＲから表示期間ＴＩへ移行した直後の信号線ＳＧＬの電位変動とが同一になるように制御する。次に、休止期間ＴＲ中における表示装置１の制御、より具体的には表示制御部としての制御部１１及びソースドライバ１３等が実行する制御について説明する。
【００５５】
図１２は、本実施形態に係る休止期間中の制御の一例を示すタイミングチャートである。本実施形態に係る休止期間中の制御（以下、適宜休止制御という）は、表示制御部が、休止期間ＴＲの前半はすべての信号線ＳＧＬを所定の電位とし、休止期間ＴＲの後半は休止期間ＴＲの直前の表示期間ＴＩにおける最後の１走査期間１Ｈに選択されていた行方向の各画素（各副画素ＳＰｉｘ）に書き込まれた表示データとしての画素信号Ｖｐｉｘを、それぞれの副画素ＳＰｉｘに対応する信号線ＳＧＬに与える。このようにすると、休止期間ＴＲから表示期間ＴＩへ移行した直後の信号線ＳＧＬの電位変動が、休止期間ＴＲ前における表示期間ＴＩ中の信号線ＳＧＬの電位変動とが同一になる。その結果、休止期間ＴＲから表示期間ＴＩへ移行した直後において最初に選択される走査線ＧＣＬの各副画素ＳＰｉｘと、それ以外の走査線ＧＣＬの各副画素ＳＰｉｘとの間に発生するスジ又はムラ等を抑制することができる。
【００５６】
図１２中（以下の同様の図も同じ）の符号ＳＥＬ及び符号Ｐに付されている数字及びｍ（ｍは２以上の自然数）は、表示装置１が表示する色の種類を識別するためのものである。例えば、表示装置１がＲ、Ｇ、Ｂの３色を表示する場合、ｍ＝３となり、Ｒ、Ｇ、Ｂの３色に加えてＷ（白）も表示する場合、ｍ＝４になる。図１２中の符号Ｐは、各副画素ＳＰｉｘに書き込まれる表示データである。Ｐ１、Ｐ２、・・・Ｐｍは、それぞれの副画素ＳＰｉｘに書き込まれる表示データであり、例えば、画素信号Ｖｐｉｘに相当する。表示装置１の表示制御装置は、１つの画素に含まれるそれぞれの副画素ＳＰｉｘを時分割駆動する。すなわち、表示データＰは、Ｐ１、Ｐ２、・・・Ｐｍの順に、対応する副画素ＳＰｉｘに書き込まれる。
【００５７】
本実施形態に係る休止制御において、図１２に示すように、休止期間ＴＲ＿ｋ＋１は、前半Ｔｅｒｍ１と後半Ｔｅｒｍ２とに分けられている。本実施形態において、表示期間ＴＩ＿ｋ＋１から休止期間ＴＲ＿ｋ＋１に入ると、表示制御部は、すべてのスイッチＳＷ１、ＳＷ２、・・・ＳＷｍをＯＮにする。それぞれのスイッチＳＷ１、ＳＷ２、・・・ＳＷｍは、ｍ＝３である場合、図６に示すソースセレクタ部１３Ｓが備えるスイッチＳＷＲ、ＳＷＧ、ＳＷＢに対応する。
【００５８】
すべてのスイッチＳＷ１、ＳＷ２、・・・ＳＷｍがＯＮになったら、表示制御部、具体的には、図１に示す制御部１１は、ソースドライバ１３を介して、それぞれのスイッチＳＷ１、ＳＷ２、・・・ＳＷｍに接続されているすべての信号線ＳＧＬ１、ＳＧＬ２、・・・ＳＧＬｍを所定の電位とする（所定の電位に充電する）。この電位は、任意の値でよい。制御部１１は、休止期間ＴＲ＿ｋ＋１の前半Ｔｅｒｍ１が終了する直前に、すべてのスイッチＳＷ１、ＳＷ２、・・・ＳＷｍをＯＦＦにする。次に、休止期間ＴＲ＿ｋ＋１の後半Ｔｅｒｍ２になったら、図１に示す制御部１１は、ソースドライバ１３を介して、休止期間ＴＲ＿ｋ＋１の直前の表示期間ＴＩ＿ｋ＋１における最後の１走査期間１Ｈに選択されていた行方向の各画素（副画素ＳＰｉｘ）に書き込まれた表示データＰ１、Ｐ２、・・・Ｐｍを、それぞれの画素（副画素ＳＰｉｘ）に対応する信号線ＳＧＬ１、ＳＧＬ２、・・・ＳＧＬｍに与える。
【００５９】
後半Ｔｅｒｍ２で各信号線ＳＧＬに書き込まれる表示データＰ１、Ｐ２、・・・Ｐｍは、休止期間ＴＲ＿ｋ＋１の直前の１走査期間１Ｈで各副画素ＳＰｉｘに書き込まれていた表示データＰ１、Ｐ２、・・・Ｐｍである。１走査期間１Ｈは、図２等に示すゲートドライバ１２によって選択された走査線ＧＣＬのすべての副画素ＳＰｉｘに表示データが書き込まれる時間に相当する。制御部１１は、表示期間ＴＩ＿ｋ＋１が終了したら、この表示データＰ１、Ｐ２、・・・Ｐｍを、例えば、記憶部に一時的に記憶させておく。そして、制御部１１は、後半Ｔｅｒｍ２に、表示データＰ１、Ｐ２、・・・Ｐｍを前述した記憶部から順次読み出しながらスイッチＳＷ１、ＳＷ２、・・・ＳＷｍを順次ＯＮすることにより、対応する信号線ＳＧＬに書き込む（充電する）。休止期間ＴＲ＿ｋ＋１から次の表示期間ＴＩ＿ｋ＋２に移行したら、制御部１１は、ゲートドライバ１２及びソースドライバ１３を駆動して、残りの水平ライン（走査線ＧＣＬ及びこれに接続される副画素ＳＰｉｘの群）の表示を実行する。
【００６０】
表示装置１は、後半Ｔｅｒｍ２で、休止期間ＴＲ＿ｋ＋１の直前の１走査期間１Ｈで表示されていた表示データＰ１、Ｐ２、・・・Ｐｍを対応する信号線ＳＧＬに書き込む。このため、表示装置１は、休止期間ＴＲ＿ｋ＋１から表示期間ＴＩ＿ｋ＋２へ移行した直後の信号線ＳＧＬの電位変動電位変動と、休止期間ＴＲ前における表示期間ＴＩ中の信号線ＳＧＬの電位変動とを略同一にすることができる。その結果、表示装置１は、休止期間ＴＲ＿ｋ＋１から表示期間ＴＩ＿ｋ＋２へ移行した直後において最初に選択される走査線ＧＣＬの各副画素ＳＰｉｘと、それ以外の走査線ＧＣＬの各副画素ＳＰｉｘとの間に発生するスジ又はムラ等を抑制することができる。
【００６１】
表示装置１は、前半Ｔｅｒｍ１中にすべてのスイッチＳＷ１、ＳＷ２、・・・ＳＷｍをＯＮにするので、これらに接続されているすべての信号線ＳＧＬを任意の電位とすることができる。例えば、前半Ｔｅｒｍ１中に、すべての信号線ＳＧＬの電位を所定の値に固定すれば、外乱ノイズの耐性が向上するため、好ましい。前半Ｔｅｒｍ１中にすべてのスイッチＳＷ１、ＳＷ２、・・・ＳＷｍをＯＮにする時間は特に限定されないが、外乱ノイズの耐性が向上する観点から、この時間は長い方が好ましい。
【００６２】
制御部１１は、直前の１走査期間１Ｈで表示されていた表示データＰ１、Ｐ２、・・・Ｐｍを対応する信号線ＳＧＬに書き込む。このため、後半Ｔｅｒｍ２中において、スイッチＳＷ１、ＳＷ２、・・・ＳＷｍの駆動方式、すなわち、ＯＮ、ＯＦＦのタイミングは、表示期間ＴＩ＿ｋ＋１、ＴＩ＿ｋ＋２ｍ等と同一でよい。その結果、制御部１１のロジックの追加又は変更を最小限にすることができる。
【００６３】
表示制御部、具体的には制御部１１は、ゲートドライバ１２によって選択された行方向の各画素（具体的には、画素Ｐｉｘが備える副画素ＳＰｉｘ）の中で、最初に表示データＰが書き込まれる画素に対しては、休止期間ＴＲの後半Ｔｅｒｍ２において、その画素に対応する信号線ＳＧＬに表示データＰを与えないようにしてもよい。本例では、信号線ＳＧＬ１に対応する副画素ＳＰｉｘが、画素Ｐｉｘが備える複数の副画素ＳＰｉｘの中で最初に表示データＰ１が書き込まれる。一例として、画素Ｐｉｘが副画素としてＲ、Ｇ、Ｂを表示するＳＰｉｘＲ、ＳＰｉｘＧ、ＳＰｉｘｇを備える場合、Ｒを表示する副画素ＳＰｉｘＲが、最初に表示データＰが書き込まれる。
【００６４】
制御部１１は、休止期間ＴＲ＿ｋ＋１の後半Ｔｅｒｍ２において、信号線ＳＧＬ１には、休止期間ＴＲ＿ｋ＋１の直前の１走査期間１Ｈで表示されていた表示データＰ１に書き込まない。最初に表示データＰが書き込まれる画素（本例では、信号線ＳＧＬ１に接続されている副画素）が接続されている信号線ＳＧＬ１は、他の副画素が接続されている信号線ＳＧＬ２、・・・ＳＧＬｍの電位変動が、休止期間ＴＲ＿ｋ＋１の前後の表示期間ＴＩ＿ｋ＋１、ＴＩ＿ｋ＋２の間で同一であれば、電位変動による影響が発生しない。休止期間ＴＲ＿ｋ＋１の後半Ｔｅｒｍ２において、最初に表示データＰが書き込まれる信号線ＳＧＬに対しては、信号線ＳＧＬに表示データＰを与えないようにすることで、後半Ｔｅｒｍ２においてはｍ−１個の信号線ＳＧＬに表示データＰを書き込めばよい。その結果、表示装置１は、後半Ｔｅｒｍ２が短くなる。次に、本実施形態に係る休止制御の手順を簡単に説明する。
【００６５】
図１３は、本実施形態に係る休止制御の手順を示すフローチャートである。本実施形態に係る休止制御を実行するにあたり、表示装置１の表示制御部、具体的には制御部１１は、ステップＳ１０１で表示装置１が備える液晶表示デバイス１０に対して表示の駆動をする。次に、ステップＳ１０２に進み、休止期間ＴＲである場合（ステップＳ１０２、Ｙｅｓ）、制御部１１はステップＳ１０３の処理を実行する。休止期間ＴＲでない場合（ステップＳ１０２、Ｎｏ）、制御部１１はスタートに戻り、ステップＳ１０１からの処理を実行する。
【００６６】
ステップＳ１０３において、制御部１１は、すべてのスイッチＳＷ１、ＳＷ２、・・・ＳＷｍをＯＮにしてから、ソースドライバ１３を介して、それぞれのスイッチＳＷ１、ＳＷ２、・・・ＳＷｍに接続されているすべての信号線ＳＧＬ１、ＳＧＬ２、・・・ＳＧＬｍを所定の電位に充電する。次に、ステップＳ１０４に進み、前半Ｔｅｒｍ１が終了した場合（ステップＳ１０４、Ｙｅｓ）、制御部１１は、処理をステップＳ１０５に進める。前半Ｔｅｒｍ１が終了していない場合（ステップＳ１０４、Ｎｏ）、制御部１１は、ステップＳ１０３、ステップＳ１０４を繰り返す。
【００６７】
ステップＳ１０５は、休止期間ＴＲの後半Ｔｅｒｍ２の処理である。制御部１１は、休止期間ＴＲの直前の表示期間ＴＩにおける最後の１走査期間１Ｈに選択されていた行方向の副画素ＳＰｉｘそれぞれに書き込まれた表示データＰ１、Ｐ２、・・・Ｐｍを、それぞれの副画素ＳＰｉｘに対応する信号線ＳＧＬ１、ＳＧＬ２、・・・ＳＧＬｍに与える。後半Ｔｅｒｍ２が終了していない場合（ステップＳ１０６、Ｎｏ）、制御部１１はステップＳ１０５、ステップＳ１０６を繰り返す。後半Ｔｅｒｍ２が終了した場合（ステップＳ１０６、Ｙｅｓ）、制御部１１はスタートに戻り、ステップＳ１０１からの処理を実行する。制御部１１は、このような処理を実行することにより、表示装置１の液晶表示デバイス１０の表示領域Ａｄに発生するスジ又はムラ等を抑制することができる。
【００６８】
（第１変形例）
第１変形例に係る休止制御は、休止期間ＴＲの前半Ｔｅｒｍ１においては、直前の表示期間ＴＩにおける最後の１走査期間１Ｈに選択されていた行方向の各画素（副画素ＳＰｉｘ）のうち、最初に表示データＰが書き込まれる画素（副画素ＳＰｉｘ）を除く任意の画素（副画素ＳＰｉｘ）に書き込まれていた表示データＰをそれぞれの信号線ＳＧＬに与える。そして、第１変形例に係る休止制御は、休止期間ＴＲの後半Ｔｅｒｍ２において、直前の表示期間ＴＩにおける最後の１走査期間１Ｈに選択されていた行方向の各画素（副画素ＳＰｉｘ）に書き込まれた表示データＰのうち、最初に表示データＰが書き込まれる画素（副画素ＳＰｉｘ）に書き込まれていた表示データＰ及び休止期間ＴＲの前半Ｔｅｒｍ１にそれぞれの信号線ＳＧＬに与えられた表示データＰ以外の表示データを、この表示データが書き込まれていた画素（副画素ＳＰｉｘ）に対応する信号線ＳＧＬに与える。このようにすると、前述したスジ又はムラ等を抑制でき、さらに、休止期間ＴＲの後半Ｔｅｒｍ２の時間を短くすることができる。
【００６９】
図１４は、第１変形例に係る休止制御の一例を示すタイミングチャートである。第１変形例に係る休止制御において、表示期間ＴＩ＿ｋ＋１から休止期間ＴＲ＿ｋ＋１に入ると、表示制御部は、具体的には制御部１１は、すべてのスイッチＳＷ１、ＳＷ２、・・・ＳＷｍをＯＮにする。すべてのスイッチＳＷ１、ＳＷ２、・・・ＳＷｍがＯＮになったら、制御部１１は、ソースドライバ１３を介して、それぞれのスイッチＳＷ１、ＳＷ２、・・・ＳＷｍに接続されているすべての信号線ＳＧＬ１、ＳＧＬ２、・・・ＳＧＬｍに、表示データＰ３を与える。表示データＰ３は、直前の表示期間ＴＩ＿ｋ＋１における最後の１走査期間１Ｈに選択されていた行方向の各副画素ＳＰｉｘのうち、最初に表示データＰ１が書き込まれる副画素ＳＰｉｘを除く任意の副画素ＳＰｉｘに書き込まれていたものである。本例では、信号線ＳＧＬ１に対応する副画素ＳＰｉｘが、画素Ｐｉｘが備える複数の副画素ＳＰｉｘの中で最初に表示データＰ１が書き込まれる。前半Ｔｅｒｍ１においてすべての信号線ＳＧＬ１、ＳＧＬ２、・・・ＳＧＬｍに与えられるのは、信号線ＳＧＬ１、ＳＧＬ２、ＳＧＬ３、・・・ＳＧＬｍに対応する副画素ＳＰｉｘのうち、最初に表示データＰ１が書き込まれる信号線ＳＧＬ１に対応する副画素ＳＰｉｘを除いた副画素ＳＰｉｘに書き込まれていた表示データＰ２、Ｐ３、・・・Ｐｍのうちいずれかであればよい。
【００７０】
制御部１１は、休止期間ＴＲ＿ｋ＋１の前半Ｔｅｒｍ１が終了する直前に、すべてのスイッチＳＷ１、ＳＷ２、・・・ＳＷｍをＯＦＦにする。次に、休止期間ＴＲ＿ｋ＋１の後半Ｔｅｒｍ２になったら、制御部１１は、ソースドライバ１３を介して、表示データＰ１、Ｐ２、Ｐ３、・・・Ｐｍのうち表示データＰ１、Ｐ３を除いた表示データＰ２、・・・Ｐｍを、対応する信号線ＳＧＬ２、・・・ＳＧＬｍに与える。すなわち、信号線ＳＧＬ２、・・・ＳＧＬｍに与えられるのは、最初に表示データＰ１が書き込まれる副画素ＳＰｉｘに書き込まれていた表示データＰ１及び前半Ｔｅｒｍ１にそれぞれの信号線ＳＧＬ１、ＳＧＬ２、ＳＧＬ３、・・・ＳＧＬｍに書き込まれた表示データＰ３を除いた表示データＰ２、・・・Ｐｍである。休止期間ＴＲ＿ｋ＋１の後半Ｔｅｒｍ２では、最初に表示データＰ１が書き込まれる信号線ＳＧＬと、前半Ｔｅｒｍ１においてそれぞれの信号線ＳＧＬ１、ＳＧＬ２、ＳＧＬ３、・・・ＳＧＬｍに書き込まれた表示データＰ３に対応する信号線ＳＧＬとに対して、表示データＰ２、・・・Ｐｍは書き込まれない。これらの信号線ＳＧＬは、後半Ｔｅｒｍ２において、前半Ｔｅｒｍ１に書き込まれた表示データＰ３が書き込まれたまま維持される。
【００７１】
前半Ｔｅｒｍ１で各副画素ＳＰｉｘに書き込まれる表示データＰ３は、休止期間ＴＲ＿ｋ＋１の直前の１走査期間１Ｈにおいて各副画素ＳＰｉｘに書き込まれていた表示データＰ１、Ｐ２、・・・Ｐｍのうち、表示データＰ１以外のいずれか１つである。後半Ｔｅｒｍ２では、休止期間ＴＲ＿ｋ＋１の直前の１走査期間１Ｈにおいて表示データＰ１、Ｐ３以外が書き込まれていた副画素ＳＰｉｘに対して、休止期間ＴＲ＿ｋ＋１の直前の１走査期間１Ｈでの表示データＰ２、・・・Ｐｍが書き込まれる。
【００７２】
制御部１１は、表示期間ＴＩ＿ｋ＋１が終了したら、最後の１走査期間１Ｈでの表示データＰ１を除く表示データＰ２、Ｐ３、・・・Ｐｍを、例えば、記憶部に一時的に記憶させておく。そして、制御部１１は、前半Ｔｅｒｍ１においては表示データＰ３を前述した記憶部から読み出して、すべての信号線ＳＧＬに書き込む（充電する）。後半Ｔｅｒｍ２において、制御部１１は、表示データＰ３を除いた表示データＰ２、・・・Ｐｍを前述した記憶部から順次読み出して、対応する信号線ＳＧＬに書き込む（充電する）。休止期間ＴＲ＿ｋ＋１から次の表示期間ＴＩ＿ｋ＋２に移行したら、制御部１１は、ゲートドライバ１２及びソースドライバ１３を駆動して、残りの水平ライン（走査線ＧＣＬ及びこれに接続される副画素ＳＰｉｘの群）の表示を実行する。
【００７３】
このような休止制御により、表示装置１は、後半Ｔｅｒｍ２において、休止期間ＴＲ＿ｋ＋１の直前の１走査期間１Ｈで表示されていた表示データＰ２、・・・Ｐｍが、最初に表示データＰ１が書き込まれる信号線ＳＧＬ１と、前半Ｔｅｒｍ１中に各信号線ＳＧＬに書き込まれた表示データＰ３に本来対応する信号線ＳＧＬ３を除く信号線ＳＧＬとに書き込まれる。最初に表示データＰ１が書き込まれる信号線ＳＧＬには、表示データＰ２、Ｐ３、・・・Ｐｍのうちの任意の１つが書き込まれる。このため、表示装置１は、休止期間ＴＲ＿ｋ＋１から表示期間ＴＩ＿ｋ＋２へ移行した直後の信号線ＳＧＬの電位変動と、休止期間ＴＲ前における表示期間ＴＩ中の信号線ＳＧＬの電位変動とを略同一にすることができる。その結果、表示装置１は、休止期間ＴＲ＿ｋ＋１から表示期間ＴＩ＿ｋ＋２へ移行した直後において最初に選択される走査線ＧＣＬの各副画素ＳＰｉｘと、それ以外の走査線ＧＣＬの各副画素ＳＰｉｘとの間に発生するスジ又はムラ等を抑制することができる。
【００７４】
表示装置１は、前半Ｔｅｒｍ１中にすべてのスイッチＳＷ１、ＳＷ２、・・・ＳＷｍをＯＮにして、すべての信号線ＳＧＬ１、ＳＧＬ２、ＳＧＬ３、・・・ＳＧＬｍに表示データＰ３を書き込むことにより、すべての信号線ＳＧＬ１、ＳＧＬ２、ＳＧＬ３、・・・ＳＧＬｍを所定の電位に固定している。このため、表示装置１は、外乱ノイズの耐性が向上する。第１変形例は、後半Ｔｅｒｍ２において、ｍ−２個の信号線ＳＧＬに表示データＰを書き込めばよいので、後半Ｔｅｒｍ２を短くすることができる。次に、第１変形例に係る休止制御の手順を簡単に説明する。
【００７５】
図１５は、第１変形例に係る休止制御の手順を示すフローチャートである。第１変形例に係る休止制御のステップＳ２０１からステップＳ２０３は、前述した休止制御のステップＳ１０１からステップＳ１０３と同様なので説明を省略する。ステップＳ２０４において、制御部１１は、ソースドライバ１３を介して、それぞれのスイッチＳＷ１、ＳＷ２、・・・ＳＷｍに接続されているすべての信号線ＳＧＬ１、ＳＧＬ２、・・・ＳＧＬｍに表示データＰ以外（本例では表示データＰ３）を与える。ステップＳ２０５に進み、前半Ｔｅｒｍ１が終了した場合（ステップＳ２０５、Ｙｅｓ）、制御部１１は、処理をステップＳ２０６に進める。前半Ｔｅｒｍ１が終了していない場合（ステップＳ２０５、Ｎｏ）、制御部１１は、ステップＳ２０３からステップＳ２０６を繰り返す。
【００７６】
ステップＳ２０６は、休止期間ＴＲの後半Ｔｅｒｍ２の処理である。制御部１１は、表示データＰ１及び前半Ｔｅｒｍ１ですべての信号線ＳＧＬに書き込まれていた表示データＰ３以外の表示データＰ２、・・・Ｐｍを、対応する信号線ＳＧＬ２、・・・ＳＧＬｍに与える。後半Ｔｅｒｍ２が終了していない場合（ステップＳ２０７、Ｎｏ）、制御部１１はステップＳ２０６、ステップＳ２０７を繰り返す。後半Ｔｅｒｍ２が終了した場合（ステップＳ２０７、Ｙｅｓ）、制御部１１はスタートに戻り、ステップＳ２０１からの処理を実行する。制御部１１は、このような処理を実行することにより、表示装置１の液晶表示デバイス１０の表示領域Ａｄに発生するスジ又はムラ等を抑制することができる。
【００７７】
（第２変形例）
第２変形例に係る休止制御は、休止期間ＴＲにおいて、すべてのスイッチをＯＦＦにし、かつ表示データの送信元からスイッチまでの配線を任意の電位とする。
【００７８】
図１６は、第２変形例に係る休止制御の一例を示すタイミングチャートである。図１７は、スイッチとＣＯＧと両者を接続する配線とを示す図である。図１８は、スイッチとＣＯＧとを接続する配線の断面図である。第２変形例に係る休止制御において、表示制御部、具体的には図１に示す制御部１１は、休止期間ＴＲ＿ｋ＋１において、すべてのスイッチＳＷ１、ＳＷ２、・・・ＳＷｍをＯＦＦにする。このようにすると、それぞれのスイッチＳＷ１、ＳＷ２、・・・ＳＷｍに接続されている信号線ＳＧＬ１、ＳＧＬ２、・・・ＳＧＬｍは、休止期間ＴＲ＿ｋ＋１において、高インピーダンスの状態となって、休止期間ＴＲ＿ｋ＋１の直前における１走査期間１Ｈの表示データＰ１、Ｐ２、・・・Ｐｍが与えられた状態が保持される。このため、信号線ＳＧＬ１、ＳＧＬ２、・・・ＳＧＬｍに接続されているそれぞれの副画素ＳＰｉｘは、休止期間ＴＲ＿ｋ＋１の直前における１走査期間１Ｈの表示データＰ１、Ｐ２、・・・Ｐｍが書き込まれた状態が維持される。
【００７９】
第２変形例に係る休止制御は、休止期間ＴＲ＿ｋ＋１から表示期間ＴＩ＿ｋ＋２へ移行した直後の信号線ＳＧＬの電位変動と、休止期間ＴＲ前における表示期間ＴＩ中の信号線ＳＧＬの電位変動とを略同一にすることができる。その結果、表示装置１は、休止期間ＴＲ＿ｋ＋１から表示期間ＴＩ＿ｋ＋２へ移行した直後において最初に選択される走査線ＧＣＬの各副画素ＳＰｉｘと、それ以外の走査線ＧＣＬの各副画素ＳＰｉｘとの間に発生するスジ又はムラ等を抑制することができる。また、第２変形例に係る休止制御は、休止期間ＴＲ＿ｋ＋１を前半と後半とに分ける必要はないので、休止期間ＴＲ＿ｋ＋１の後半を確保する必要がなくなる。このため、第２変形例に係る休止制御は、休止期間ＴＲ＿ｋ＋１を必要最小限にすることができる。
【００８０】
休止期間ＴＲ＿ｋ＋１中、スイッチＳＷ１、ＳＷ２、・・・ＳＷｍをＯＦＦにすることにより、これらに接続される信号線ＳＧＬ１、ＳＧＬ２、・・・ＳＧＬｍは高インピーダンスとなるが、信号線ＳＧＬ１、ＳＧＬ２、・・・ＳＧＬｍにはＣｃとＣｇとＣｔとの比較的大きな静電容量の成分が存在する。これに加え、図２等に示す共通電極ＣＯＭＬは、信号線ＳＧＬ１、ＳＧＬ２、・・・ＳＧＬｍと対向しているため、電磁気を遮蔽する役割を果たす。このため、信号線ＳＧＬ１、ＳＧＬ２、・・・ＳＧＬｍは、外乱ノイズに対する耐性が比較的高い。Ｃｃは、信号線ＳＧＬと共通電極ＣＯＭＬとの間の静電容量であり、Ｃｇは、信号線ＳＧＬと走査線ＧＣＬとが交差する部分における静電容量であり、Ｃｔは、信号線ＳＧＬと副画素ＳＰｉｘが備えるＴＦＴ素子Ｔｒとの静電容量である。Ｃｔは、ＴＦＴ素子ＴｒがＯＦＦであるときの静電容量である。
【００８１】
図１７に示すように、表示データＰの送信元であるＣＯＧ１９とそれぞれのスイッチＳＷ１、ＳＷ２、・・・ＳＷｍとは、配線としてのビデオ線ＶＬによって接続されている。図１８に示す、隣接するビデオ線ＶＬ、ＶＬ同士の静電容量Ｃｖは、その大半が隣接するビデオ線ＶＬ、ＶＬ間に形成されるフリンジ電界によるものである。ビデオ線ＶＬは、図２に示す液晶表示デバイス１０の額縁Ｇｄに配置されるが、その数は、数百本から千本以上と多い。所定の額縁Ｇｄ内に多数のビデオ線ＶＬを収めるため、ビデオ線ＶＬは線幅が細く、長さも短い。その結果、Ｃｖは比較的小さな値になってしまう。また、ビデオ線ＶＬは、共通電極ＣＯＭＬが対向しておらず、共通電極ＣＯＭＬが電磁気を遮蔽する効果は期待できない。このため、休止期間ＴＲ＿ｋ＋１において、ＣＯＧ１９が有する各アンプ１９Ｂｎ、１９Ｂｎ＋１、１９Ｂｎ＋２・・・の出力を高インピーダンスにすると、ビデオ線ＶＬは外乱ノイズの影響を受けやすくなる。
【００８２】
休止期間ＴＲ＿ｋ＋１中に受けた外乱ノイズによってビデオ線ＶＬが極端に高い又は極端に低い電位になると、ビデオ線ＶＬの電位がスイッチＳＷ１、ＳＷ２、・・・ＳＷｍのソースとドレインとの間の耐圧を超える可能性がある。また、ビデオ線ＶＬが極端に高い又は極端に低い電位の状態のまま表示期間ＴＩ＿ｋ＋２に移行し、ＣＯＧ１９が有する各アンプ１９Ｂｎ、１９Ｂｎ＋１、１９Ｂｎ＋２・・・にそれぞれのビデオ線ＶＬが接続された場合、ビデオ線ＶＬの電位がＣＯＧ１９の各アンプ１９Ｂｎ、１９Ｂｎ＋１、１９Ｂｎ＋２・・・の耐圧を超える可能性がある。
【００８３】
第２変形例に係る休止制御を実行する場合、制御部１１は、休止期間ＴＲ＿ｋ＋１においてすべてのスイッチＳＷ１、ＳＷ２、・・・ＳＷｍをＯＦＦにし、かつ図１７に示すＣＯＧ１９からそれぞれのスイッチＳＷ１、ＳＷ２、・・・ＳＷｍまでのビデオ線ＶＬを任意の電位とする。このようにすることで、ビデオ線ＶＬの電位がスイッチＳＷ１、ＳＷ２、・・・ＳＷｍのソースとドレインとの間の耐圧及びＣＯＧ１９の各アンプ１９Ｂｎ、１９Ｂｎ＋１、１９Ｂｎ＋２・・・の耐圧を超える可能性を低減できる。次に、第２変形例に係る休止制御の手順を簡単に説明する。
【００８４】
図１９は、第１変形例に係る休止制御の手順を示すフローチャートである。第２変形例に係る休止制御のステップＳ３０１、ステップＳ３０２は、前述した休止制御のステップＳ１０１、ステップＳ１０２と同様なので説明を省略する。休止期間ＴＲ＿ｋ＋１である場合（ステップＳ３０２、Ｙｅｓ）、ステップＳ３０３において、制御部１１は、すべてのスイッチＳＷ１、ＳＷ２、・・・ＳＷｍをＯＦＦにし、かつＣＯＧ１９を介してすべてのビデオ線ＶＬに任意の電位を与える。休止期間ＴＲ＿ｋ＋１でない場合（ステップＳ３０２、Ｎｏ）、制御部１１はスタートに戻り、ステップＳ３０１からの処理を実行する。制御部１１は、このような処理を実行することにより、表示装置１の液晶表示デバイス１０の表示領域Ａｄに発生するスジ又はムラ等を抑制することができる。また、ビデオ線ＶＬの電位が前述した耐圧を超える可能性が低減されるので、図６に示すソースセレクタ部１３Ｓ及び図１７に示すＣＯＧ１９の耐久性低下が抑制される。
【００８５】
＜１−２．タッチ検出機能付き表示装置＞
【００８６】
本実施形態及びその変形例は、表示装置１が表示機能以外の機能を備えていてもよい。次においては、タッチ検出機能を備えた、タッチ検出機能付き表示装置について説明する。タッチ検出機能付き表示装置は、休止期間ＴＲに、タッチを検出するための駆動が行われる。
【００８７】
図２０は、タッチ検出機能付き表示装置の一例を示す図である。本実施形態において、タッチ検出機能付き表示装置１ａは、静電容量型タッチ検出によりタッチを検出する。図２０に示すように、タッチ検出機能付き表示装置１ａは、液晶表示デバイス１０とタッチ検出デバイス２０とを備えている。この例において、タッチ検出デバイス２０は、駆動電極ＣＯＭＤを液晶表示デバイス１０の共通電極ＣＭＯＬと共用するが、このようなものに限定されない。駆動電極ＣＯＭＤを駆動する駆動電極走査部１４Ａ、１４Ｂは、ＴＦＴ基板２１に形成されている。図２０に示すように、ＴＦＴ基板２１の表面に対する垂直方向において、駆動電極ＣＯＭＤの駆動電極ブロックＢと、タッチ検出電極ＴＤＬとは、立体交差するように配置されている。
【００８８】
駆動電極ＣＯＭＤは、１方向に延在する複数のストライプ状の電極パターンに分割されている。タッチ検出動作を行う際は、駆動電極ＣＯＭＤの各電極パターンには、駆動電極走査部１４Ａ、１４Ｂによってタッチ用駆動信号ＶｃｏｍＡＣが順次供給される。同時にタッチ用駆動信号ＶｃｏｍＡＣが供給される、駆動電極ＣＯＭＤの複数のストライプ状の電極パターンが、図２０に示す駆動電極ブロックＢである。駆動電極ブロックＢ（駆動電極ＣＯＭＤ）は、タッチ検出デバイス２０の１辺に沿う方向に形成されており、タッチ検出電極ＴＤＬは、タッチ検出デバイス２０の他辺に沿う方向に形成されている。タッチ検出電極ＴＤＬの出力は、例えばタッチ検出デバイス２０の上述した他辺側に設けられ、フレキシブルプリント基板Ｔを介して、フレキシブルプリント基板Ｔに実装されたタッチ検出部４０と接続されている。このように、タッチ検出部４０は、フレキシブルプリント基板Ｔ上に実装され、並設された複数のタッチ検出電極ＴＤＬのそれぞれと接続されている。フレキシブルプリント基板Ｔは、端子であればよく、フレキシブルプリント基板に限られず、この場合、タッチ検出機能付き表示装置１ａの外部にタッチ検出部４０が備えられる。
【００８９】
タッチ用駆動信号ＶｃｏｍＡＣを生成する駆動信号生成部は、ＣＯＧ１９に内蔵されている。駆動電極走査部１４Ａ、１４Ｂとは、額縁Ｇｄ、Ｇｄに配置されている。駆動電極走査部１４Ａ、１４Ｂは、ＴＦＴ基板２１上にＴＦＴ素子を用いて形成されている。駆動電極走査部１４Ａ、１４Ｂは、前述した駆動信号生成部から、表示用配線ＬＤＣを介して、表示用駆動電圧ＶＣＯＭの供給を受けるとともに、タッチ用配線ＬＡＣを介してタッチ用駆動信号ＶｃｏｍＡＣの供給を受ける。駆動電極走査部１４Ａ、１４Ｂは、額縁Ｇｄにおいて、一定の幅Ｇｄｖを占める。駆動電極走査部１４Ａ、１４Ｂは、並設された複数の駆動電極ブロックＢのそれぞれを、両側から駆動することができるようになっている。表示用駆動電圧ＶＣＯＭを供給する表示用配線ＬＤＣと、タッチ用駆動信号ＶｃｏｍＡＣを供給するタッチ用配線ＬＡＣとは、並列に額縁Ｇｄ、Ｇｄに配置されている。表示用配線ＬＤＣは、タッチ用配線ＬＡＣよりも表示領域Ａｄ側に配置されている。この構造により、表示用配線ＬＤＣにより供給される表示用駆動電圧ＶＣＯＭが、表示領域Ａｄの端部の電位状態を安定させる。このため、特に、横電界モードの液晶を用いた液晶表示デバイスにおいて、表示が安定する。
【００９０】
（静電容量型タッチ検出の基本原理）
図２１は、静電容量型タッチ検出の基本原理を説明するため、指が接触又は近接していない状態を表す説明図である。図２２は、図２１に示す指が接触又は近接していない状態の等価回路の例を示す説明図である。図２３は、静電容量型タッチ検出方式の基本原理を説明するため、指が接触又は近接した状態を表す説明図である。図２４は、図２３に示す指が接触又は近接した状態の等価回路の例を示す説明図である。図２５は、駆動信号及びタッチ検出信号の波形の一例を表す図である。
【００９１】
図２０に示すタッチ検出デバイス２０は、静電容量型タッチ検出の基本原理に基づいて動作し、タッチ検出信号Ｖｄｅｔを出力する。例えば、図２１に示すように、容量素子Ｃ１は、誘電体Ｄを挟んで互いに対向配置された一対の電極、駆動電極Ｅ１及びタッチ検出電極Ｅ２を備えている。図２２に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図２０に示すタッチ検出部４０に含まれる積分回路である。
【００９２】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ用駆動信号ＶｃｏｍＡＣに相当するものである。
【００９３】
指が接触（又は近接）していない状態（非接触状態）では、図２１及び図２２に示すように、容量素子Ｃ１に対する充放電に伴って、容量素子Ｃ１の容量値に応じた電流Ｉ０が流れる。図２５に示すように電圧検出器ＤＥＴは、交流矩形波Ｓｇに応じた電流Ｉ０の変動を電圧の変動（実線の波形Ｖ０）に変換する。
【００９４】
指が接触（又は近接）した状態（接触状態）では、図２３に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図２４に示す等価回路でみると、容量素子Ｃ１’に電流Ｉ１が流れる。図２５に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指等の外部から近接する物体の影響に応じて変化することになる。電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００９５】
図２０に示すタッチ検出デバイス２０は、駆動電極走査部１４Ａ、１４Ｂから供給されるタッチ用駆動信号ＶｃｏｍＡＣに従って、１検出ブロックずつ順次走査してタッチ検出を行うようになっている。タッチ検出デバイス２０は、複数の後述するタッチ検出電極ＴＤＬから、図２２又は図２４に示す電圧検出器ＤＥＴを介して、検出ブロック毎にタッチ検出信号Ｖｄｅｔを出力し、タッチ検出部４０に送信する。
【００９６】
タッチ検出部４０は、指による差分の信号のみ取り出す処理を行う。この指による差分の信号は、前述した波形Ｖ０と波形Ｖ１との差分の絶対値｜ΔＶ｜である。タッチ検出部４０は、検出した指による差分の信号を所定の閾値電圧と比較し、この閾値電圧以上であれば、外部近接物体の非接触状態と判断する。タッチ検出部４０は、検出した指による差分の信号を所定の閾値電圧と比較し、閾値電圧未満であれば、外部近接物体の接触状態と判断する。このようにして、タッチ検出部４０はタッチ検出が可能となる。タッチ検出部４０は、タッチを検出されたときに、そのタッチパネル座標を求め、タッチパネル座標を信号出力Ｖｏｕｔとして出力する。
【００９７】
以上、本実施形態及びその変形例について説明したが、前述した内容により本実施形態及びその変形例が限定されるものではない。また、前述した実施形態及びその変形例の構成要素には、当業者が容易に想定できるもの、実質的に同一のもの、いわゆる均等の範囲のものが含まれる。さらに、前述した構成要素は適宜組み合わせることが可能である。また、本実施形態及びその変形例の要旨を逸脱しない範囲で構成要素の種々の省略、置換及び変更を行うことができる。
【００９８】
＜２．適用例＞
次に、図２６〜図３８を参照して、実施形態及び変形例で説明した表示装置１の適用例について説明する。図２６〜図３８は、本実施形態又はその変形例に係る表示装置が適用される電子機器の一例を示す図である。本実施形態及び変形例に係る表示装置１及び表示装置は、テレビジョン装置、デジタルカメラ、ノート型パーソナルコンピュータ、携帯電話等の携帯端末装置あるいはビデオカメラ等のあらゆる分野の電子機器に適用することが可能である。言い換えると、本実施形態及び変形例に係る表示装置１及び表示装置は、外部から入力された映像信号あるいは内部で生成した映像信号を、画像あるいは映像として表示するあらゆる分野の電子機器に適用することが可能である。
【００９９】
（適用例１）
図２６に示す電子機器は、本実施形態及び変形例に係る表示装置１及び表示装置が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係る表示装置１及び表示装置である。
【０１００】
（適用例２）
図２７及び図２８に示す電子機器は、本実施形態及び変形例に係る表示装置１及び表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態及び変形例に係る表示装置１及び表示装置である。
【０１０１】
（適用例３）
図２９に示す電子機器は、本実施形態及び変形例に係る表示装置１及び表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態及び変形例に係る表示装置１及び表示装置である。
【０１０２】
（適用例４）
図３０に示す電子機器は、本実施形態及び変形例に係る表示装置１及び表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態及び変形例に係る表示装置１及び表示装置である。
【０１０３】
（適用例５）
図３１〜図３７に示す電子機器は、本実施形態及び変形例に係る表示装置１及び表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態及び変形例に係る表示装置１及び表示装置である。
【０１０４】
（適用例６）
図３８に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態及び変形例に係る表示装置１及び表示装置である。
【０１０５】
＜３．本開示の構成＞
また、本開示は、以下の構成をとることもできる。
（１）画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データを各画素に書き込む表示期間と、前記表示データの各画素への書き込みが停止される休止期間とを交互に繰り返し、かつ前記休止期間の前半はすべての前記信号線を所定の電位とし、前記休止期間の後半は前記休止期間の直前の表示期間において選択されていた行方向の各画素に書き込まれた表示データを、それぞれの画素に対応する信号線に与える表示制御部と、
を含む、表示装置。
（２）前記表示制御部は、
選択された行方向の各画素の中で最初に前記表示データが書き込まれる画素に対しては、前記休止期間の後半において、その画素に対応する信号線に表示データを与えない、
前記（１）に記載の表示装置。
（３）画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データを各画素に書き込む表示期間と、前記表示データの各画素への書き込みが停止される休止期間とを交互に繰り返し、かつ前記休止期間の前半は、直前の表示期間において選択されていた行方向の各画素のうち、最初に前記表示データが書き込まれる画素を除く任意の画素に書き込まれていた表示データをそれぞれの信号線に与え、前記休止期間の後半は、直前の表示期間において選択されていた行方向の各画素に書き込まれた表示データのうち、最初に前記表示データが書き込まれる画素に書き込まれていた表示データ及び前記休止期間の前半にそれぞれの信号線に与えられた表示データ以外の表示データを、この表示データが書き込まれていた画素に対応する信号線に与える表示制御部と、
を含む、表示装置。
（４）画像を表示する表示装置において、
複数の画素が行方向と列方向とに配列され、かつそれぞれの前記画素は駆動素子を有する表示領域と、
前記行方向に延在し、かつ前記行方向に配列されたそれぞれの前記画素が有する前記駆動素子に接続されて、前記表示部の前記画素を行単位で選択するための走査信号を送信する走査線と、
前記列方向に延在し、かつ前記列方向に配列されたそれぞれの前記画素が有する前記駆動素子に接続されて、前記走査信号によって選択された行の各画素に前記表示部に表示させる画像の表示データを書き込むための信号線と、
前記表示データの送信元と前記信号線との間に設けられるスイッチと、
前記表示データを各画素に書き込む表示期間と、前記表示データの各画素への書き込みが停止される休止期間とを交互に繰り返し、かつ前記休止期間は、すべての前記スイッチをＯＦＦにし、さらに前記送信元から前記スイッチまでの配線を任意の電位とする表示制御部と、
を含む、表示装置。
（５）前記（１）から前記（４）のいずれか１つに記載の表示装置を備えた、電子機器。
【符号の説明】
【０１０６】
１  表示装置
１ａ  タッチ検出機能付き表示デバイス
２  画素基板
３  対向基板
６  液晶層
１０  液晶表示デバイ
１１  制御部
１２  ゲートドライバ
１３  ソースドライバ
１３Ｓ  ソースセレクタ部
１４  駆動電極ドライバ
１４Ａ、１４Ｂ  駆動電極走査部
１９  ＣＯＧ
１９Ｂｎ  各アンプ
２０  タッチ検出デバイス
２１  ＴＦＴ基板
２２  画素電極
２４  絶縁層
３１  ガラス基板
３３  カラーフィルタ
３５  偏光板
４０  タッチ検出部
ＣＯＭＤ  駆動電極
ＣＯＭＬ  共通電極
ＧＣＬ  走査線
ＬＡＣ  タッチ用配線
ＬＤＣ  表示用配線
Ｐ、Ｐ１、Ｐ２、Ｐ３、Ｐｍ  表示データ
Ｐｉｘ  画素
ＳＧＬ  信号線
ＳＰｉｘ  副画素
ＳＷ１、ＳＷ２、ＳＷｍ、ＳＷＲ、ＳＷＧ、ＳＷＢ  スイッチ
ＴＤＬ  タッチ検出電極
Ｔｅｒｍ１  前半
Ｔｅｒｍ２  後半
ＴＩ  表示期間
ＴＲ  休止期間
ＶＬ  ビデオ線
ΔＶｇ、ΔＶｒ  電位差
【図１】
2014164194.tif 000003
【図２】
2014164194.tif 000004
【図３】
2014164194.tif 000005
【図４】
2014164194.tif 000006
【図５】
2014164194.tif 000007
【図６】
2014164194.tif 000008
【図７】
2014164194.tif 000009
【図８】
2014164194.tif 000010
【図９】
2014164194.tif 000011
【図１０】
2014164194.tif 000012
【図１１】
2014164194.tif 000013
【図１２】
2014164194.tif 000014
【図１３】
2014164194.tif 000015
【図１４】
2014164194.tif 000016
【図１５】
2014164194.tif 000017
【図１６】
2014164194.tif 000018
【図１７】
2014164194.tif 000019
【図１８】
2014164194.tif 000020
【図１９】
2014164194.tif 000021
【図２０】
2014164194.tif 000022
【図２１】
2014164194.tif 000023
【図２２】
2014164194.tif 000024
【図２３】
2014164194.tif 000025
【図２４】
2014164194.tif 000026
【図２５】
2014164194.tif 000027
【図２６】
2014164194.tif 000028
【図２７】
2014164194.tif 000029
【図２８】
2014164194.tif 000030
【図２９】
2014164194.tif 000031
【図３０】
2014164194.tif 000032
【図３１】
2014164194.tif 000033
【図３２】
2014164194.tif 000034
【図３３】
2014164194.tif 000035
【図３４】
2014164194.tif 000036
【図３５】
2014164194.tif 000037
【図３６】
2014164194.tif 000038
【図３７】
2014164194.tif 000039
【図３８】
2014164194.tif 000040